(57)【要約】【課題】  本発明は、特殊な機械、および特殊な技能を有する者が不要であり、固定片を打ち込みアンカーにより耐久床層に打ち込むだけで、防水保護板を容易に取り付けることができる。【解決手段】  耐久床層は、コンクリートスラブ上に防水層および断熱層を介して設けられている。固定片は、前記耐久床層に予め打ち込みアンカーによって固定されている。固定具は、前記固定片にスライド嵌合されている。コ字型チャネル部材は、前記固定具の上部に設けられたコ字型チャネル部材嵌合凹部に嵌合される。保護板は、前記コ字型チャネル部材に設けられたコ字型チャネル部材嵌合凹部に下部が嵌合されている。前記ガイドレールは、前記立ち上がりに連設されたひさし部の下部に設けられており、前記保護板の下部を前記コ字型チャネル部材に取り付けられる際に、必要な空間を備えている。【選択図】    図１
2005232689.tif 000002
【特許請求の範囲】
【請求項１】
コンクリート構築物における立ち上がり部の側面を保護する保護板取付構造において、
コンクリート上部に敷設されている耐久床層と、
前記耐久床層に打ち込みアンカーで固定されている固定片と、
前記固定片にスライド嵌合できる固定具と、
前記固定具に設けられた凹部に嵌合するコ字型チャネル部材と、
前記コ字型チャネル部材に設けられたコ字型チャネル部材嵌合凹部に下部が嵌合されている保護板と、
前記立ち上がり部に連設されたひさし部の下部で、前記保護板の下部が前記コ字型チャネル部材に取り付けられる際に必要な空間を備えたガイドレールと、
から少なくとも構成されていることを特徴とする保護板取付構造。
【請求項２】
コンクリート構築物における立ち上がり部の側面を保護する保護板取付構造において、
コンクリート上部に敷設されている耐久床層と、
前記耐久床層に打ち込みアンカーで固定されている固定片と、
前記固定片にスライド嵌合できる下部凹部と、前記保護板が嵌合できる上部凹部とが成形されているコ字型チャネル部材と、
前記コ字型チャネル部材に成形された上部凹部に下部が嵌合されている保護板と、
前記立ち上がり部に連設されたひさし部の下部で、前記保護板の下部が前記コ字型チャネル部材に取り付ける際に必要な空間を備えたガイドレールと、
から少なくとも構成されていることを特徴とする保護板取付構造。
【請求項３】
前記固定片は、
前記耐久床層に取り付ける打ち込みアンカー挿入孔を備えた取付凹部と、
前記取付凹部の反対側に突出し前記耐久床層に接する取付凸部と、
前記取付凹部の上部に連設され、左右方向に突出するフランジと、
から構成されていることを特徴とする請求項１または請求項２に記載された保護板取付構造。
【請求項４】
前記固定片は、
前記耐久床層に取り付ける打ち込みアンカー挿入孔を備えている傾斜部からなる傾斜取付部と、
前記傾斜取付部の反対側で前記耐久床層に接する取付面と、
前記取付面から立ち上げられた側部に連設され、左右方向に突出するフランジと、
から構成されていることを特徴とする請求項１または請求項２に記載された保護板取付構造。
【請求項５】
前記固定片は、
平板と前記平板のぼぼ中央部に取り付けられて、前記耐久床層に打ち込まれる打ち込みアンカー部を備えていることを特徴とする請求項１または請求項２に記載された保護板取付構造。
【請求項６】
前記固定片は、
前記平板部と、
前記平板部に取り付けられた垂下部と、
前記垂下部の下部に連設されているとともに、前記耐久床層に接する断面三角形状固定部と、
前記断面三角形状固定部の傾斜面に設けられた打ち込みアンカー挿入孔と、
から構成されていることを特徴とする請求項１または請求項２に記載された保護板取付構造。
【請求項７】
前記固定片にスライド嵌合できる固定具は、
上部にコ字型チャネル部材が嵌合する凹部と、
下部に前記固定片のフランジを抱持するフランジ用凹部と、
前記フランジ用凹部に連設され、前記固定片を嵌合する固定片挿入凹部と、
から構成されていることを特徴とする請求項１、請求項３、請求項４のいずれか１項に記載された保護板取付構造。
【請求項８】
前記固定片にスライド嵌合できる固定具は、
上部にコ字型チャネル部材が嵌合するコ字型チャネル部材嵌合凹部と、
下部に前記固定片の平板部を収納できるようにした前記固定具の側面を折り返した折り返し部と、
前記折り返し部を内方に折り曲げて前記固定片の平板部を載置する載置部と、
から構成されていることを特徴とする請求項１、請求項５、請求項６のいずれか１項に記載された保護板取付構造。
【請求項９】
前記折り返し部を内方に折り曲げて前記固定片の平板部を載置する載置部には、スリットが設けられていることを特徴とする請求項１、請求項５、請求項６のいずれか１項に記載された保護板取付構造。
【発明の詳細な説明】
【技術分野】
【０００１】
本発明は、コンクリート構築物における立ち上がり部の側面を保護する保護板取付構造に関するものである。特に、本発明は、コンクリート建築物における屋上の立ち上がり部側面に設けられた防水層を保護するための防水保護板取付構造に関するものである。
【背景技術】
【０００２】
コンクリート建築物の屋上には、立ち上がり部があり、前記立ち上がり部の側面に防水層が設けられている。前記防水層は、アスファルト系部材により防水効果を発揮している。しかし、前記防水層は、露出したままであると、直射日光や風雨等の自然環境による影響を受け易いため、防水保護板によって保護されている。
【０００３】
図１０は従来例におけるコンクリート建築物の屋上立ち上がり部の防水層を保護するための保護板取付構造を説明するための図である。図１１は保護板を取り付けるためのＣ型チャネルと固定部材とを説明するための図である。図１０および図１１において、屋上は、コンクリートスラブ１０１、コンクリート立ち上がり部１０２、および前記立ち上がり部１０２に連設されたひさし部１０３とから構成されている。
【０００４】
前記コンクリートスラブ１０１および立ち上がり部１０２の屋上側には、防水層１０４が設けられている。また、前記コンクリートスラブ１０１の上には、前記防水層１０４、断熱層１０５、耐久床層１０６が順次形成されている。さらに、耐久床層１０６には、切り込み溝１０７が、たとえば、コンクリートカッター等の特殊機械によって形成されている。
【０００５】
前記防水層１０４を保護する防水保護板１０９は、上部をガイドレール１０１１に挿入した後、下部をＣ型チャネル１０１０の凹部に嵌合する。前記Ｃ型チャネル１０１０は、図示のような形状の固定具１０８の一方を前記Ｃ型チャネル１０１０の上部に引っ掛け、他方を前記切り込み溝１０７に入れ、前記切り込み溝１０７をモルタル等で埋めることにより固定されている。
【０００６】
前記ガイドレール１０１１は、前記防水保護板１０９が固定された際に空間を有するようになっている。前記空間は、前記防水保護板１０９の上方をガイドレール１０１１に入れた後、その下方を前記Ｃ型チャネル１０１０の凹部に嵌入できるようにするためのものである。
【０００７】
なお、前記防水保護板１０９の上部は、前記ガイドレール１０１１の内部で、詰め物１０１２によって、防水と固定とを同時に行っている。以上のようなパラペットにおける防水保護板取付構造は、たとえば、特開平２０００−２４６２５７号公報に詳細が記載されている。
【０００８】
【特許文献１】特開２０００−２４６２５７号公報
【発明の開示】
【発明が解決しようとする課題】
【０００９】
しかし、前記防水保護板取付構造は、屋上の耐久床層に固定具を取り付けるための切り込み溝をコンクリートカッター等の特殊機械によって作製する必要がある。また、前記特殊機械は、屋上に持ち上げなければならず、また、操作をする専門の者が必要であった。
【００１０】
前記コンクリートカッターは、固定具の一方を入れるための切り込み溝を正確に作製する必要がある。前記切り込み溝は、その深さや大きさ等に狂いがあると、前記耐久床層の耐久性に問題が発生するおそれがあった。また、前記切り込み溝は、前記コンクリートカッターの操作によって、耐久床層に傷をつけ、経年変化による雨漏りの原因となる場合があった。
【００１１】
前記保護板は、施行後、前記防水層の点検および補修等のために自由に取り外しができなければならない。しかし、前記従来例の保護板取付構造は、固定具の一方を前記Ｃ型チャネルの上部に引っ掛け、他方を前記切り込み溝に入れた後、モルタルで固定しているため、取り外しの度に、モルタルを破壊しなければならなかった。前記モルタルの破壊は、防水層や断熱層に影響を与え、経年変化による雨漏りの原因になった。
【００１２】
以上のような課題を解決するために、本発明は、特殊な機械、および特殊な技能を有する者が不要であり、固定片を打ち込みアンカーにより前記耐久床層に打ち込むだけで、防水保護板を取り付けることができる保護板取付構造を提供することを目的とする。また、本発明は、防水保護板の取り外しが容易にでき、かつ、経年変化によっても、耐久床層、防水層、断熱層等に影響を与えない保護板取付構造を提供することを目的とする。
【課題を解決するための手段】
【００１３】
（第１発明）
第１発明の保護板取付構造は、コンクリート構築物における立ち上がり部の側面を保護する保護板の取り付けであり、コンクリート上部に敷設されている耐久床層と、前記耐久床層に打ち込みアンカーで固定されている固定片と、前記固定片にスライド嵌合できる固定具と、前記固定具に設けられた凹部に嵌合するコ字型チャネル部材と、前記コ字型チャネル部材に設けられたコ字型チャネル部材嵌合凹部に下部が嵌合されている保護板と、前記立ち上がり部に連設されたひさし部の下部で、前記保護板の下部が前記コ字型チャネル部材に取り付けられる際に必要な空間を備えたガイドレールとから少なくとも構成されていることを特徴とする。
【００１４】
（第２発明）
第２発明の保護板取付構造は、コンクリート構築物における立ち上がり部の側面を保護する保護板の取り付けであり、コンクリート上部に敷設されている耐久床層と、前記耐久床層に打ち込みアンカーで固定されている固定片と、前記固定片にスライド嵌合できる下部凹部と、前記保護板が嵌合できる上部凹部とが成形されているコ字型チャネル部材と、前記コ字型チャネル部材に成形された上部凹部に下部が嵌合されている保護板と、前記立ち上がり部に連設されたひさし部の下部で、前記保護板の下部が前記コ字型チャネル部材に取り付ける際に必要な空間を備えたガイドレールとから少なくとも構成されていることを特徴とする。
【００１５】
（第３発明）
第３発明の保護板取付構造において、固定片は、耐久床層に取り付ける打ち込みアンカー挿入孔を備えた取付凹部と、前記取付凹部の反対側に突出し前記耐久床層に接する取付凸部と、前記取付凹部の上部に連設され、左右方向に突出するフランジとから構成されていることを特徴とする。
【００１６】
（第４発明）
第４発明の保護板取付構造において、固定片は、耐久床層に取り付ける打ち込みアンカー挿入孔を備えている傾斜部からなる傾斜取付部と、前記傾斜取付部の反対側で前記耐久床層に接する取付面と、前記取付面から立ち上げられた側部に連設され、左右方向に突出するフランジとから構成されていることを特徴とする。
【００１７】
（第５発明）
第５発明の保護板取付構造において、固定片は、平板と前記平板のぼぼ中央部に取り付けられて、前記耐久床層に打ち込まれる打ち込みアンカー部を備えていることを特徴とする。
【００１８】
（第６発明）
第６発明の保護板取付構造において、固定片は、平板部と、前記平板部に取り付けられた垂下部と、前記垂下部の下部に連設されているとともに、前記耐久床層に接する断面三角形状固定部と、前記断面三角形状固定部の傾斜面に設けられた打ち込みアンカー挿入孔とから構成されていることを特徴とする。
【００１９】
（第７発明）
第７発明の保護板取付構造において、固定片にスライド嵌合できる固定具は、上部にコ字型チャネル部材が嵌合する凹部と、下部に前記固定片のフランジを抱持するフランジ用凹部と、前記フランジ用凹部に連設され、前記固定片を嵌合する固定片挿入凹部とから構成されていることを特徴とする。
【００２０】
（第８発明）
第８発明の保護板取付構造において、固定片にスライド嵌合できる固定具は、上部にコ字型チャネル部材が嵌合するコ字型チャネル部材嵌合凹部と、下部に前記固定片の平板部を収納できるようにした前記固定具の側面を折り返した折り返し部と、前記折り返し部を内方に折り曲げて前記固定片の平板部を載置する載置部とから構成されていることを特徴とする。
【００２１】
（第９発明）
第９発明の保護板取付構造において、折り返し部を内方に折り曲げて前記固定片の平板部を載置する載置部には、スリットが設けられていることを特徴とする。
【発明の効果】
【００２２】
本発明によれば、固定片を耐久床層に打ち込む打ち込みアンカーによって固定された後、固定具およびコ字型チャネル部材を嵌め込んでいるため、前記耐久床層に溝を掘るといった特殊機械と特殊技術が不要である。すなわち、本発明は、打ち込みアンカーを単に打ち込むといった単純作業のみで保護板を取り付けることができる。
【００２３】
本発明によれば、前記固定片の取り付けに際し、コンクリートカッターを使用しないため、耐久床層に傷を付けたり、その際の工事が原因となって、経年変化による雨漏り等を無くすことができる。
【００２４】
本発明によれば、前記固定片および固定具の形状を特許請求の範囲に記載されているような形状にすることで、前記耐久床層等に傷を付けることなく、経年変化による雨漏り等が起きないように、堅固でかつ安定した保護板が取り付けられる。
【００２５】
本発明によれば、固定片に傾斜した打ち込みアンカー挿入孔を設けたため、前記耐久床層に前記打ち込みアンカーが斜めに入り、経年変化に耐える取り付けができる。
【００２６】
本発明によれば、固定具に、前記固定片のフランジと、前記フランジに連設された取付凸部とを抱持するような構造になっているため、互いにグラ付くことがなく、堅固に取り付けることができる。
【００２７】
本発明によれば、固定片が耐久床層に取り付けられたまま、防水保護板が取り外せるので、耐久床層等に傷が付かず、経年変化によっても、耐久床層、防水層、断熱層等に影響を与えない。
【発明を実施するための最良の形態】
【００２８】
（第１発明）
第１発明の保護板取付構造は、コンクリート構築物、コンクリート建築物の屋上における立ち上がり部の側面に設けられた防水層を保護する保護板の取り付け構造である。前記保護板取付構造は、耐久床層の上に取り付けられた固定片と、前記固定片にスライド嵌合された固定具、前記固定具の凹部に嵌合するコ字型チャネル部材と、前記コ字型チャネル部材に成形されたコ字型チャネル部材嵌合凹部に下部を嵌合した保護板と、前記保護板の上部を嵌合するガイドレールとから構成されている。
【００２９】
前記耐久床層は、コンクリートスラブ上に防水層および断熱層を介して設けられている。前記固定片は、前記耐久床層に予め打ち込みアンカーによって固定されている。前記固定具は、前記固定片にスライド嵌合されている。前記コ字型チャネル部材は、前記固定具の上部に設けられたコ字型チャネル部材嵌合凹部に嵌合される。
【００３０】
前記保護板は、前記コ字型チャネル部材に設けられたコ字型チャネル部材嵌合凹部に下部が嵌合されている。前記ガイドレールは、前記立ち上がりに連設されたひさし部の下部に設けられており、前記保護板の下部を前記コ字型チャネル部材に取り付けられる際に、必要な空間を備えている。前記保護板は、前記ガイドレールの空間を利用して、その上部を挿入した後、下部を前記コ字型チャネル部材のコ字型チャネル部材嵌合凹部に嵌合させる。
【００３１】
第１発明は、前記固定片が前記耐久床層に打ち込みアンカーによって固定された後、各部材を嵌め込んでいるため、前記耐久床層に溝を掘るといった特殊機械と特殊技術が不要であるだけでなく、特殊な技術を有しない者であっても、特殊な機械を使用することなく、打ち込みアンカーを打ち込むだけで、前記固定片の取り付けが容易にできる。また、第１発明は、前記溝の作製に際し、コンクリートカッターを使用しないため、耐久床層に傷を付けたり、その際の工事が原因となる雨漏り等を無くすことができる。
【００３２】
（第２発明）
第２発明の保護板取付構造は、第１発明における固定具を用いずに、保護板を固定片とコ字型チャネル部材を介してコンクリート上部に敷設されている耐久床層に取り付けることができる。第２発明は、第１発明と同様に、コ字型チャネル部材を取り付ける固定部材の取り付け溝を耐久床層に作製するといった耐久性に問題のある工事をしなくて済み、経年変化による信頼性を向上させることができる。
【００３３】
（第３発明）
第３発明の保護板保護構造における固定片は、前記耐久床層に取り付けるための打ち込みアンカーを打ち込む打ち込みアンカー挿入孔が設けられた取付凹部と、前記取付凹部の反対側に突出し前記耐久床層に接する取付凸部と、前記取付凹部の上部から左右方向に突出するように連設されたフランジとから構成されている。
【００３４】
前記固定片は、前記耐久床層に打ち込みアンカーを打ち込むことにより、特別な技術がなくとも、前記耐久床層に対する固定が容易にできる。また、前記固定片は、後述の固定具に安定して取り付けられるように前記取付凹部の上部から左右方向に突出するようにフランジが連設されている。
【００３５】
（第４発明）
第４発明の保護板取付構造における固定片は、前記耐久床層に取り付ける打ち込みアンカーを斜め方向に打ち込めるように傾斜取付部が設けられている。前記傾斜取付部を介して打ち込まれた打ち込みアンカーは、前記耐久床層に斜めに打ち込まれるため、固定片を堅固でしかも経年変化に耐えるように取り付けることができる。
【００３６】
（第５発明）
第５発明の保護板取付構造における固定片は、平板と前記平板のぼぼ中央部に、たとえば、溶接等によって取り付けられた打ち込みアンカー部を備えている。前記平板は、打ち込みアンカーを打ち込むことにより前記耐久床層に堅固に取り付けられる。
【００３７】
（第６発明）
第６発明の保護板取付構造における固定片は、上部に平板部が、中間部に垂下部が、下部に断面三角形状固定部が一体に連設されるように成形されている。最下部の断面三角形状固定部は、三角形の底辺が耐久床層に接するため安定して取り付けられる。また、前記断面三角形状固定部の傾斜面には、傾斜した打ち込みアンカー挿入孔があるため、前記耐久床層に前記打ち込みアンカーが斜めに入り、経年変化に耐える取り付けとなっている。
【００３８】
（第７発明）
第７発明の保護板取付構造における固定具は、上部にコ字型チャネル部材が嵌合できる凹部と、下部に前記固定片がスライド嵌合できる凹部とから構成されている。特に、前記固定片の下部には、フランジを抱持するフランジ用凹部と、前記フランジ用凹部に連設され、前記固定片を嵌合する固定片挿入凹部とから構成されている。
【００３９】
前記固定具は、前記固定片のフランジと、前記フランジに連設された取付凸部とを抱持するような構造になっているため、グラ付くことがなく、堅固に取り付けられる。
【００４０】
（第８発明）
第８発明の保護板取付構造における固定具は、上部にコ字型チャネル部材が嵌合する凹部を設けている点で、第７発明と同じである。第８発明の固定具は、下部に前記固定片の平板部を収納できるようにした前記固定具の側面を折り返した折り返し部と、前記折り返し部を内方に折り曲げて前記固定片の平板部を載置する載置部とから構成されている点で、第７発明と異なっている。
【００４１】
内方に折り曲げられた前記折り返し部は、固定片の平板部を載置する載置部を構成するだけでなく、前記折り返しの際に、固定片の垂下部を収納することができる。
【００４２】
（第９発明）
第９発明の保護板取付構造における固定具は、前記折り返し部を内方に折り曲げて前記固定片の平板部を載置する載置部を作製する際に、互いの折り返し部の間にスリットが設けられるようにしている。前記スリットは、前記固定片に設けられた打ち込みアンカー部あるいは垂下部をスライドする際に便利である。
【実施例１】
【００４３】
図１は本発明の第１実施例で、コンクリート構築物における立ち上がり部の防水を行うための保護板取付構造を説明するための図である。図２は本発明の第１実施例に使用するコ字型チャネル部材、固定具、固定片を説明するための図である。第１実施例は、図１および図２を使用して、コンクリート建築物の屋上を例にして説明する。
【００４４】
図１および図２において、コンクリート建築物の屋上におけるパラペット１１は、コンクリートスラブ１２、コンクリート立ち上がり部１３、および前記立ち上がり部１３に連設されたひさし部２０とから構成されている。
【００４５】
前記コンクリートスラブ１２および立ち上がり部１３の屋上側には、防水層１４が設けられている。また、前記コンクリートスラブ１２の上には、前記防水層１４、断熱層１５、耐久床層１６が順次形成されている。さらに、固定片２２は、打ち込みアンカー２２３の打ち込みにより、耐久床層１６に取り付けられる。
【００４６】
前記防水層１４を保護する防水保護板１９は、上部をガイドレール２１内に挿入した後、下部をコ字型チャネル部材１７の凹部に嵌合する。図１および図２に示すような形状の固定具１８の下部は、既に打ち込みアンカー２２３によって耐久床層１６に取り付けられている固定片２２にスライドさせることにより取り付けられる。前記コ字型チャネル部材１７は、前記固定具１８のコ字型チャネル部材嵌合凹部１８１に嵌合される。
【００４７】
また、前記ガイドレール２１は、前記防水保護板１９を固定する際に利用できるような空間２０１が成形されている。すなわち、前記空間２０１は、前記防水保護板１９の上部をガイドレール２１に入れた後、下方が前記コ字型チャネル部材１７に成形されたコ字型チャネル部材嵌合凹部１８１に嵌入できるように成形されている。なお、前記防水保護板１９の上部は、前記ガイドレール２１の内部で、詰め物２２５によって、防水と固定とを同時に行っている。
【００４８】
前記固定片２２は、上部に固定片取付凹部２２１が成形されており、前記固定片取付凹部２２１のほぼ中心部に、打ち込みアンカー２２３を挿入するための打ち込みアンカー挿入孔２２４が設けられている。また、前記固定片２２には、前記固定片取付凹部２２１の上部から左右方向に突出しているフランジ２２２が成形されている。
【００４９】
前記固定具１８は、上部にコ字型チャネル部材１７を嵌合させるコ字型チャネル部材嵌合凹部１８１と、下部に固定片２２を嵌合させる固定片嵌合凹部１８２と、前記固定片嵌合凹部１８２の左右に前記固定片２２のフランジ２２２が嵌合するフランジ嵌合凹部１８３とから構成されている。前記固定具１８は、前記固定片２２より長さが長く、前記コ字型チャネル部材１７を安定して固定できる長さを有している。
【００５０】
前記固定片２２は、打ち込みアンカー２２３によって、耐久床層１６に取り付けられている。前記固定片２２およびそのフランジ２２２は、固定具１８の下部に成形されている固定片嵌合凹部１８２およびフランジ嵌合凹部１８３に嵌合される。前記固定片２２と固定具１８の形状は、互いの嵌合にガタツキがなく、堅固に取り付けられる。
【実施例２】
【００５１】
図３は本発明の第２実施例である固定片を固定具に取り付けた状態を説明するための図である。図４は本発明の第２実施例である固定片を説明するための図である。図４において、固定片３１は、立ち上がり側部３１４の上部に左右方向に突出するフランジ３１１と、下部で前記耐久床層１６に接する取付面３１２と、前記取付面３１２の反対側の凹部に成形され、上部に傾斜面を有する傾斜取付部３１３と、前記傾斜取付部３１３に設けられた打ち込みアンカー挿入孔３１５が設けられている。
【００５２】
図３に示されているコ字型チャネル部材１７および固定具１８の形状は、第１実施例とほぼ同じである。前記固定片３１は、耐久床層１６に対して、打ち込みアンカー３２を打ち込みアンカー挿入孔３１５に挿入した後、頭部を打ち込むことにより取り付けられる。その後、防水保護板１９の取り付けは、図１および図２と同じである。
【実施例３】
【００５３】
図５は本発明の第３実施例である固定片およびその取り付けを説明するための図である。図６は本発明の第３実施例である固定片を固定具に取り付けた状態を説明するための図である。図５および図６において、固定片５１は、平板部５１１を有し、前記平板部５１１の下部のほぼ中央部に打ち込みアンカー５１２が取り付けられている。前記打ち込みアンカー５１２は、一体成形または溶接等で取り付けるようにすることができる。
【００５４】
固定具５８は、上部にコ字型チャネル部材１７を嵌合するコ字型チャネル部材嵌合凹部５８１と、下部の側面から内部に折り返された折り返し部５８４と、前記折り返し部５８４をさらに内部に折り返して成形された下部凹部５８２と、前記下部凹部５８２の中央部に設けられたスリット５８３と、前記下部凹部５８２の上部に成形されている載置部５８５とから構成されている。
【００５５】
前記固定片５１は、前記耐久床層１６に打ち込みアンカー５１２が打ち込まれて、取り付けられる。前記固定具５８は、固定片５１の平板部５１１が前記載置部５８５に載置されるように打ち込みアンカー５１２をスリット５８３によりスライドさせる。前記固定片５１および固定具５８との取り付け後は、図１ないし図４の場合と同様である。
【実施例４】
【００５６】
図７は本発明の第４実施例である固定片および固定具の形状を説明するための図である。図８は本発明の第４実施例である固定片を固定具に取り付けた状態を説明するための図である。図７および図８において、固定片７１は、平板部７１１と、前記平板部７１１に垂下される垂下部７１２と、前記垂下部７１２に断面三角形からなる断面三角形状固定部７１３と、前記断面三角形状固定部７１３の傾斜面に傾斜して打ち込みアンカー７１５が打ち込めるように設けられた打ち込みアンカー挿入孔７１４とから構成されている。
【００５７】
固定具５８は、スリット５８３の幅等が多少異なるだけで、ほぼ同じ形状のものである。前記固定片７１は、前記耐久床層１６に打ち込みアンカー７１５を打ち込みアンカー挿入孔７１４に挿入し、頭部を叩いて取り付けられる。前記アンカー挿入孔７１４は、前記耐久床層１６に対して傾斜しているため、長い打ち込みアンカー７１５を用いても、断熱層１５に達するおそれがなく、堅固に取り付けることができる。
【実施例５】
【００５８】
図９は本発明の第５実施例で、コ字型チャネル部材が固定具を兼用している場合を説明するための図である。図９において、固定片２２は、図１および図２に示す形状のもの以外に図３ないし図８のものを使用することができる。コ字型チャネル部材兼固定具９１は、上部に防水保護板１９を取り付ける凹部を有し、下部に前記固定片２２またはその他の固定片３１、５１、７１が嵌合できる形状になっている。
【００５９】
前記各種固定片２２、３１、５１、７１は、打ち込みアンカー２２３、３２、５１２、７１５を打ち込むことにより、前記耐久床層１６に固定される。前記コ字型チャネル部材兼固定具９１は、下部に成形された固定片挿入部９２に嵌合される。
【００６０】
第１実施例から第５実施例において、固定片２２、３１、５１、７１は、耐久床層１６に打ち込みアンカー２２３、３２、５１２、７１５によって、取り付けられたまま、防水保護板１９を取り外すことができるため、防水層１４等の点検、修理に際して耐久床層１６を傷つけないので、経年変化によって雨漏り等が無くなる。
【産業上の利用可能性】
【００６１】
以上、本実施例を詳述したが、本発明は、前記本実施例に限定されるものではなく、特許請求の範囲に記載されている事項を逸脱することがなければ、種々の設計変更を行うことが可能である。たとえば、本発明は、固定片、固定具、およびコ字型チャネル部材の材質は、たとえば、アルミニウム、アルミニウム合金、ステンレス鋼板、各種鋼板、鉄板、亜鉛メッキ鋼板、合成樹脂部材等公知のものを使用することができる。
【００６２】
また、本発明の固定片、固定具、およびコ字型チャネル部材は、公知の押し出し成形機による押し出し加工、その他の加工法を使用することにより作製される。さらに、本発明に使用される打ち込みアンカーは、コンクリートに打ち込む公知のものが使用される。
【００６３】
本発明は、コンクリート建築物のパラペット以外に、コンクリート構築物におけるパラペットと類似した構造の立ち上がり部の側面を保護する保護板取付構造にも適用できることはいうまでもない。
【図面の簡単な説明】
【００６４】
【図１】本発明の第１実施例で、コンクリート構築物における立ち上がり部の防水を行うための保護板取付構造を説明するための図である。（実施例１）
【図２】本発明の第１実施例に使用するコ字型チャネル部材、固定具、固定片を説明するための図である。
【図３】本発明の第２実施例である固定片を固定具に取り付けた状態を説明するための図である。（実施例２）
【図４】本発明の第２実施例である固定片を説明するための図である。
【図５】本発明の第３実施例である固定片およびその取り付けを説明するための図である。（実施例３）
【図６】本発明の第３実施例である固定片を固定具に取り付けた状態を説明するための図である。
【図７】本発明の第４実施例である固定片および固定具の形状を説明するための図である。（実施例４）
【図８】本発明の第４実施例である固定片を固定具に取り付けた状態を説明するための図である。
【図９】本発明の第５実施例で、コ字型チャネル部材が固定具を兼用している場合を説明するための図である。（実施例５）
【図１０】従来例におけるコンクリート建築物の屋上立ち上がり部の防水層を保護するための保護板取付構造を説明するための図である。
【図１１】保護板を取り付けるためのＣ型チャネルと固定部材とを説明するための図である。
【符号の説明】
【００６５】
１１・・・パラペット
１２・・・コンクリートスラブ
１３・・・立ち上がり部
１４・・・防水層
１５・・・断熱層
１６・・・耐久床層
１７・・・コ字型チャネル部材
１８・・・固定具
１８１・・・コ字型チャネル部材嵌合凹部
１８２・・・固定片嵌合凹部
１８３・・・フランジ嵌合凹部
１９・・・防水保護板
２０・・・ひさし部
２０１・・・空間
２１・・・ガイドレール
２２、３１、５１、７１・・・固定片
２２１・・・固定片取付凹部
２２２、３２、３１１・・・フランジ
２２３、５１２・・・打ち込みアンカー
２２４、３１５・・・打ち込みアンカー挿入孔
２２５・・・詰物
３１２・・・取付面
３１３・・・傾斜取付部
３１４・・・立ち上がり側部
５１１・・・平板部
５８・・・固定具
５８１・・・コ字型チャネル部材嵌合凹部
５８２・・・下部凹部
５８３・・・スリット
５８４・・・折り返し部
５８５・・・載置部
７１１・・・平板部
７１２・・・垂下部
７１３・・・断面三角形状固定部
７１４・・・打ち込みアンカー挿入孔
７１５・・・打ち込みアンカー
９１・・・コ字型チャネル部材兼固定具
９２・・・固定片挿入部
【図１】
2005232689.tif 000003
【図２】
2005232689.tif 000004
【図３】
2005232689.tif 000005
【図４】
2005232689.tif 000006
【図５】
2005232689.tif 000007
【図６】
2005232689.tif 000008
【図７】
2005232689.tif 000009
【図８】
2005232689.tif 000010
【図９】
2005232689.tif 000011
【図１０】
2005232689.tif 000012
【図１１】
2005232689.tif 000013